(57)【要約】【課題】  リード線及びバナナプラグを簡単な操作で接続可能で、安価に製造可能なプッシュターミナルの提供。【解決手段】  前面側に立ち上げた４個の機構内装部３を備えたハウジング１と、機構内装部３の挿入孔３ａの側部に配したターミナル４と、挿入孔３ａを挟んでターミナル４に対向状態で起伏自在に配したレバー部材５と、レバー部材５をターミナル４側に起立させるコイルバネ６とで構成する。ターミナル４は、挿入孔３ａに挿入したバナナプラグの側部に圧接すべく突出する突出接片部４ｃを備え、レバー部材５は、起立時に突出接片部４ｃの直上及び直下に進入すべく突設した押圧突部５ｅ、５ｆを備え、天板部５ｃに挿入孔３ａに挿入したバナナプラグが通過するプラグ貫通口５ｇを開口し、かつそのバナナプラグの側部が突出接片部４ｃに圧接するように反対側に抑え部５ｈを配したものである。【選択図】  図８
2006351490.tif 000002
【特許請求の範囲】
【請求項１】
バナナプラグ及びリード線の双方の挿入可能な挿入孔を備えた絶縁性のハウジングと、
該挿入孔の側部にその長さ方向に沿って配した導電性のターミナルであって、該挿入孔に挿入したバナナプラグの側部に圧接すべく該挿入孔内に突出する突出接片部を有するターミナルと、
該ターミナルの突出接片部に対向する部位の手前側及び奥側に各々押圧突部を備え、前記挿入孔の奥側の部位を回動支点として起伏回動し、後記バネ部材により該ターミナル側に起立回動すべく付勢され、かつ該ターミナル側への起立回動状態で前記挿入孔に挿入されたバナナプラグが進入することとなる部位にプラグ貫通口を開口し、加えて進入したバナナプラグの側部が前記ターミナルの突出接片部に圧接することとなるようにその反対側から抑える抑え部を構成したレバー部材と、
該レバー部材を前記ターミナル側に起立回動させるべく付勢するバネ部材と、
で構成したプッシュターミナル。
【請求項２】
前記レバー部材を、
二本の棒状レバー片、上端でそれらを繋ぐ天板部及び該天板部から背後側に延設させた摘み部で構成したレバー本体と、
該レバー本体の前記ターミナルの突出接片部に対向する部位の手前側に、前記天板部から突出させた押圧突部と、
該二本の棒状レバー片の前記ターミナルの突出接片部に対向する部位の奥側に突出させた押圧突部と、
前記天板部に開口した、前記バナナプラグ進入用のプラグ貫通口と、
更に、前記二本の棒状レバー片の背後側途中に、該プラグ貫通口を通じて進入したバナナプラグを前記突出接片部に圧接させるべく構成した抑え部と、
前記両棒状レバー片の下端両側に突出し、ハウジングの該当する部位に配した軸受部に回動自在に支持される回動軸と、
で構成した請求項１のプッシュターミナル。
【請求項３】
前記ターミナルを剛体で構成した請求項１又は２のプッシュターミナル。
【請求項４】
前記ターミナルの突出接片部の奥側中央部を切り欠いてエッジを構成した請求項１、２又は３のプッシュターミナル。
【発明の詳細な説明】
【技術分野】
【０００１】
本発明は、種々の電気信号の伝達用のリード線及びバナナプラグが簡単な操作で接続可能なプッシュターミナルに関する。
【背景技術】
【０００２】
この種の電気信号の伝達用手段としては、プッシュターミナル、レバーターミナル、更にはネジターミナル等が知られている。
【０００３】
これらの内、ネジターミナルは、リード線及びバナナプラグの双方の接続が可能ではあるが、リード線を接続する際は、ネジを緩めて側方の窓から該リード線を挿入し、該ネジを締め直すという操作が必要であり(特許文献１)、その操作が煩わしい。またネジ構造であるため部品が高価であるという問題もある。
【０００４】
プッシュターミナルには、リード線挿入孔を開口したハウジングと、そのリード線挿入方向に沿って配したターミナルと、該ターミナル側に向かって起伏すべく配した操作摘みと、該操作摘みをターミナル側に起立圧接させるべく付勢するスプリングとで構成したものが提案されている(特許文献２)。
【０００５】
これは、操作摘みを伏操作（後方に引く操作）し、前記リード線挿入孔からリード線を挿入した上で、該操作摘みの自由な動きを許容するようにすると、前記スプリングの作用により前記ターミナル側に起立圧接動作し、該操作摘みのターミナルと対面する側と該ターミナルとで該リード線を強圧することとなり、該ターミナルと該リード線との電気的・機械的接続を確保することとなる。このプッシュターミナルはこのようにリード線との接続手段は備えているが、バナナプラグとの接続手段は備えていない。
【０００６】
更にプッシュターミナルには、前面に芯線挿入孔及びツマミ突出孔を前面に開口したケースと、そのケースの内部に配した端子部材と、ツマミ突出孔に操作ボタンが進退自在に突出すべく配された芯線押圧部材であって、操作ボタンを押し込むとこれに伴って該芯線押圧部材が前記芯線挿入孔から後退する芯線押圧部材と、該芯線押圧部材を該芯線挿入孔中に押し込むべく付勢するスプリングとで構成したものも提案されている(特許文献３)。
【０００７】
これは、操作ボタンを押し込んで前記芯線押圧部材を後退させ、これによって開口した芯線挿入孔に芯線を挿入し、この状態で、該操作ボタンの押し込み操作を止めると、前記スプリングの作用で該芯線押圧部材は芯線挿入孔側に戻ることとなり、該芯線をその孔の周縁と該芯線押圧部材とで強圧し、更に前記端子との間でも強圧することとなる。こうして芯線を端子と電気的に接続することができる。このプッシュターミナルはこのようにリード線との接続手段は備えているが、バナナプラグとの接続手段は備えていない。
【０００８】
また前記レバーターミナルには、導体挿入孔を備えたハウジングと、該導体挿入孔の進入方向側部に沿って配置し、その一端側を該導体挿入孔内に弾力的に進入させた端子部材と、前記導体挿入孔を挟んで該端子部材の一端側と対向させて起伏自在に配置した操作レバーと、該操作レバーの該端子部材の一端側と対向する部位に膨出し、該操作レバーを倒した状態で前記導体挿入孔に挿入したバナナプラグを前記端子部材の一端側との間に進入させ得る切欠溝を備えた突部であって、該操作レバーを倒した状態で該導体挿入孔に挿入したリード線を該操作レバーを起こすことでその先端と前記端子部材の一端側との間に挟持し得る突部と、で構成したものが提案されている(特許文献４)。
【０００９】
このレバーターミナルでは、上記のように、操作レバーを倒した上で、リード線を導体挿入孔に挿入し、更に該操作レバーの突部の切欠溝中に挿入し、その後、該操作レバーを起こせば、該リード線を該突部と端子部材の一端側との間で機械的・電気的に接続することができる。また同様に操作レバーを倒した上で、バナナプラグを導体挿入孔に挿入すると、この状態で突部先端の切欠溝が端子部材の一端側との間で開いた状態になっているので、これに進入させることが可能となり、該バナナプラグは、該端子部材の一端側の弾力により機械的に接続し、更に電気的にも接続することになる。
【００１０】
このレバーターミナルは、バナナプラグとリード線との双方を確実に接続できるものであり、その意味で優れたものであるが、それらの接続のために操作レバーの操作が必要であるため若干煩わしさが残る。またバナナプラグを挿入保持する過程で、端子部材のバネ性能が低下する虞もある。更には端子部材として高価なバネ材を使用せざるを得ないという問題もある。
【００１１】
【特許文献１】特許第３３５５１６１号公報（２頁、段落０００２〜０００７、図８、図９、図１０）
【特許文献２】特開昭６４−３５８７８号公報
【特許文献３】特開平９−１６１８５９号公報
【特許文献４】特許第３３５５１６１号公報
【発明の開示】
【発明が解決しようとする課題】
【００１２】
本発明は、簡単な操作でスピーカケーブル等の音声信号その他の電気信号の伝達用のリード線やバナナプラグを簡単な操作で接続可能であり、かつ安価に製造可能であるプッシュターミナルを提供することを解決の課題とする。
【課題を解決するための手段】
【００１３】
本発明の１は、バナナプラグ及びリード線の双方の挿入可能な挿入孔を備えた絶縁性のハウジングと、
該挿入孔の側部にその長さ方向に沿って配した導電性のターミナルであって、該挿入孔に挿入したバナナプラグの側部に圧接すべく該挿入孔内に突出する突出接片部を有するターミナルと、
該ターミナルの突出接片部に対向する部位の手前側及び奥側に各々押圧突部を備え、前記挿入孔の奥側の部位を回動支点として起伏回動し、後記バネ部材により該ターミナル側に起立回動すべく付勢され、かつ該ターミナル側への起立回動状態で前記挿入孔に挿入されたバナナプラグが進入することとなる部位にプラグ貫通口を開口し、加えて進入したバナナプラグの側部が前記ターミナルの突出接片部に圧接することとなるようにその反対側から抑える抑え部を構成したレバー部材と、
該レバー部材を前記ターミナル側に起立回動させるべく付勢するバネ部材と、
で構成したプッシュターミナルである。
【００１４】
本発明の２は、本発明の１のプッシュターミナルに於いて、
前記レバー部材を、
二本の棒状レバー片、上端でそれらを繋ぐ天板部及び該天板部から背後側に延設させた摘み部で構成したレバー本体と、
該レバー本体の前記ターミナルの突出接片部に対向する部位の手前側に、前記天板部から突出させた押圧突部と、
該二本の棒状レバー片の前記ターミナルの突出接片部に対向する部位の奥側に突出させた押圧突部と、
前記天板部に開口した、前記バナナプラグ進入用のプラグ貫通口と、
更に、前記二本の棒状レバー片の背後側途中に、該プラグ貫通口を通じて進入したバナナプラグを前記突出接片部に圧接させるべく構成した抑え部と、
前記両棒状レバー片の下端両側に突出し、ハウジングの該当する部位に配した軸受部に回動自在に支持される回動軸と、
で構成したものである。
【００１５】
本発明の３は、本発明の１又は２のプッシュターミナルに於いて、前記ターミナルを剛体で構成したものである。
【００１６】
本発明の４は、本発明の１、２又は３のプッシュターミナルに於いて、前記ターミナルの突出接片部の奥側を切り欠いてエッジを構成したものである。
【発明の効果】
【００１７】
本発明の１のプッシュターミナルによれば、従来通りにリード線の接続が可能であり、加えてバナナプラグの接続も可能となったものである。
【００１８】
スピーカケーブルを含む各種リード線の接続の際は、従来のプッシュターミナルと同様に、レバー部材を背後側に倒した上で、該リード線を該挿入孔に挿入し、その後、該レバー部材をバネ部材の作用により起立状態に復帰させれば、該リード線は、レバー部材の二つの押圧突部とターミナルの突出接片部との間に挟持された状態となり、これらに機械的・電気的に接続されることになる。
【００１９】
またバナナプラグを接続する場合は、特別の操作をせずに、単に挿入孔に挿入すればよい。即ち、レバー部材はバネ部材によって起立状態になっており、挿入孔の入口からバナナプラグを挿入すると、該バナナプラグは、該挿入孔の内部でレバー部材のプラグ貫通口を貫通して所要深さまで進入する。このとき該バナナプラグは、その側部の一部が前記ターミナルの突出接片部と接触し、他方、その反対側側部がレバー部材に構成した抑え部で抑えられ、該突出接片部との接触を強く確実なものにする。これによって該バナナプラグとプッシュターミナルとの電気的・機械的な接続が確保されることになるものである。
【００２０】
以上のように、本発明の１のプッシュターミナルによれば、リード線とバナナプラグの双方の接続が可能であり、しかも後者の接続は、単に挿入孔に挿入するだけという極めて簡単な操作によるものである。更に、プッシュターミナル形式であるため、ネジターミナルのような高価な部品を使用せず、かつターミナル材としてバネ材を必要としないため、安価に製造できるものでもある。
【００２１】
本発明の２のプッシュターミナルによれば、レバー部材の構成が合理的であり、リード線の接続の場合には、該レバー部材の二つの押圧突部とターミナルの突出接片部とによるリード線の挟持が確実に行われ、良好な電気的・機械的接続を確保することができる。またバナナプラグの接続の場合には、前記抑え部による該バナナプラグの側部に対する抑え作用が確実に行われ、その反対側の側部の前記突出接片部への接触を確実にし、良好な電気的・機械的接続を確保することができる。
【００２２】
本発明の３のプッシュターミナルによれば、剛体で構成したため、使用による劣化変形の虞が殆どなく、長期間にわたって良好な性能を維持することができる。
【００２３】
本発明の４のプッシュターミナルによれば、リード線を接続する際に、レバー部材の二つの押圧突部の作用と相まって、該リード線の該当する部位がターミナルの突出接片部のエッジに係止することで機械的接続が確実なものとなる。大径のリード線に対する保持力も高くなったものである。
【発明を実施するための最良の形態】
【００２４】
本発明のプッシュターミナルは、基本的に、バナナプラグ及びリード線の双方の挿入可能な挿入孔を備えた絶縁性のハウジングと、該挿入孔の側部にその長さ方向に沿って配した導電性のターミナルと、該ターミナルに対向して配置され、前記挿入孔の奥側の部位を回動支点として起伏回動するレバー部材と、該レバー部材を前記ターミナル側に起立回動させるべく付勢するバネ部材とで構成したものである。
【００２５】
前記ハウジングは、種々の態様の構成が可能であるが、概ね板状のベース部と該ベース部から立ち上がった複数の機構内装部とで構成し、絶縁性のプラスチック等によって一体成形するのが適当である。このような構成を採用した場合は、プッシュターミナルは、それぞれ各機構内装部に構成することになる。前記挿入孔は、上記のような機構内装部の前端から開口形成し、その側部の長さ方向に沿って前記ターミナル配設用の取付部を構成する。該挿入孔を挟んで該ターミナルの取付部と反対側には前記レバー部材の取付部を構成する。
【００２６】
前記ターミナルは、前記のように、前記ハウジングの挿入孔の側部にその長さ方向に沿って配する導電性の部材であり、剛性の帯状部材で構成するのが適当である。該ターミナルは、該挿入孔の長さ方向の途中で、該挿入孔に挿入したバナナプラグの側部に圧接すべく、該挿入孔内に突出する突出接片部を構成したものとする。該突出接片部は、種々の態様の突出形態を採用することが可能であるが、該ターミナルを構成する帯状部材を折曲して側面から見て概ねコ字形又は横向きのＵ字形に突出させる形態とするのが適当である。
【００２７】
前記突出接片部の、挿入孔の長さ方向奥側に位置する部位には、その中央部の一部を切り欠いてエッジを構成するのが適当である。このように構成することにより、挿入孔に挿入され、該突出接片部の前面を通過する状態に位置することとなったリード線は、該突出接片部の長さ方向奥側及び手前側でレバー部材の後述する押圧突部によって押圧されると、前記エッジに接触する部位が該エッジに強く係止することになり、確実に保持されることになる。
【００２８】
なお、前記ターミナルは、以上のような突出接片部の外、これをハウジングの取付部の所定の部位に固設するための取付片及び外部の電子機器類のリード線等と接続するための端子部その他を備えたものである。
【００２９】
前記レバー部材は、前記のように、前記ハウジングに、前記ターミナルに対向して配置され、前記挿入孔の奥側の部位を回動支点として起伏回動する部材であり、該ターミナルの突出接片部に対向する部位の手前側及び奥側に各々押圧突部を備え、前記バネ部材により該ターミナル側に起立回動すべく付勢され、かつ該ターミナル側への起立回動状態で前記挿入孔に挿入されたバナナプラグが進入することとなる部位にプラグ貫通口を開口し、更に進入したバナナプラグの側部が前記ターミナルの突出接片部に圧接することとなるようにその反対側から抑える抑え部を備えた部材である。
【００３０】
前記レバー部材は、それぞれ前記該当する機能を持った構成要素を備えたものであれば、種々の構成を自由に採用することができる。例えば、該レバー部材は、二本の棒状レバー片、上端でそれらを繋ぐ天板部及び該天板部から背後側に延設させた摘み部で構成したレバー本体と、該レバー本体の前記ターミナルの突出接片部に対向する部位の手前側に、前記天板部から突出させた押圧突部と、該二本の棒状レバー片の前記ターミナルの突出接片部に対向する部位の奥側に突出させた押圧突部と、前記天板部に開口した、前記バナナプラグ進入用のプラグ貫通口と、更に、前記二本の棒状レバー片の背後側途中に、該プラグ貫通口を通じて進入したバナナプラグを前記突出接片部に圧接させるべく構成した抑え部と、前記両棒状レバー片の下端両側に突出し、ハウジングの該当する部位に配した軸受部に回動自在に支持される回動軸とで構成軸とで構成することができる。
【００３１】
前記二本の棒状レバー片は、相互の間隔を、少なくとも、前記挿入孔への挿入対象のバナナプラグの径を越える寸法とする。また前記抑え部は、前記バナナプラグをその最大径部より若干上方側で抑えて、その抜け止め機能を効果的に果たし得るように位置決めするのが好ましい。なおこのようなレバー部材は、絶縁性のプラスチック材等によって、以上の各構成要素を一体に成形するのが適当である。
【００３２】
前記バネ部材は、前記のように、前記レバー部材を前記ターミナル側に起立回動させるべく付勢する部材であり、そのように作用する種々のバネ用の部材を自由に採用することができる。例えば、一般の例に従って、該バネ部材として、圧縮バネ形のコイルスプリングを採用し、これを前記レバー部材の摘み部の裏面とハウジングの該摘み部の裏面と対向する部位との間に介在させ、前記のように、該レバー部材を前記ターミナル側に起立回動するように付勢するのが適当である。
【００３３】
従って本発明のプッシュターミナルによれば、従来のそれと同様に、リード線の接続が可能であり、加えてバナナプラグの接続も可能となったものである。
【００３４】
例えば、リード線を接続する場合は、従来のプッシュターミナルと同様に、レバー部材を背後側に倒した上で、該リード線を該挿入孔に所要の深さまで挿入し、その後、該レバー部材に加えていた背後側に倒す力を除去すると、該レバー部材はバネ部材の作用により自ずと起立状態に復帰することになり、該リード線は、レバー部材の二つの押圧突部とターミナルの突出接片部とによって挟持された状態となる。こうしてリード線は、これらに機械的・電気的に確実に接続されることになる。
【００３５】
前記のように、レバー部材の具体的構成を、前記レバー本体と、該レバー本体の上端の天板部から突出させた押圧突部と、該レバー本体の二本の棒状レバー片の所定の部位に突出させた押圧突部と、前記天板部に開口したプラグ貫通口と、更に前記二本の棒状レバー片の背後側途中に配した抑え部と、前記両棒状レバー片の下端両側に突出した回動軸とで構成した場合には、レバー部材の構成が合理的であり、前記のようにリード線を接続する場合には、該レバー部材の二つの押圧突部とターミナルの突出接片部とによるリード線の挟持が確実に行われ、その良好な電気的・機械的接続を確保することができる。
【００３６】
また、前記のように、ターミナルの突出接片部の前記所定部位にエッジを構成した場合には、該リード線の対応する部位が該エッジに係止してその機械的接続がより確実なものとなる。それ故、大径のリード線に対する保持力も高くなるものである。
【００３７】
またバナナプラグを接続する場合は、特別のレバー操作等をせずに、該バナナプラグを単に挿入孔に挿入すればよい。
【００３８】
レバー部材は、通常、バネ部材の作用で起立状態になっており、バナナプラグを挿入孔の入口から挿入すると、該バナナプラグは、該挿入孔の内部で、前記レバー本体の天板部に開口したプラグ貫通口を貫通して所要深さまで進入する。このとき、該バナナプラグは、その側部の一部が前記ターミナルの突出接片部と接触し、他方、その反対側の側部が前記抑え部で抑えられ、該突出接片部との上記接触を強く確実なものにする。これによって該バナナプラグとの電気的・機械的な接続を確実なものとすることができる。前記のように、抑え部を該バナナプラグの最大径部より若干上方に構成しておくものとすると、その抜け止め作用も十分なものとなり、該バナナプラグはより確実に保持されることになる。
【００３９】
また、前記のように、ターミナルを剛体で構成することとすれば、リード線又はバナナプラグのいずれとの接続の場合でも、使用による劣化変形の虞が殆どなく、長期間にわたって良好な性能を維持することができる。
【００４０】
以上のように、本発明のプッシュターミナルによれば、リード線とバナナプラグの双方との接続が可能であり、しかも後者の接続は、単に挿入するだけという極めて簡単なものである。更に本発明はプッシュターミナルであるため、ネジターミナルのような高価な部品を使用せず、かつターミナル材としてバネ材を必要としないため、安価に製造できるものでもある。
【実施例１】
【００４１】
この実施例のプッシュターミナルは、ハウジング１に４個を構成した例に関する。該ハウジング１は、図１(a)〜(d)及び図２(a)〜(d)に示すように、概ね四辺形板状のベース部２とその前面に縦横に配列して立ち上げた４個の機構内装部３、３…とで構成したものであり、各々のプッシュターミナルは、図１(a)〜(d)に示すように、各々の機構内装部３に構成したものである。
【００４２】
各プッシュターミナルは、上記し、かつ図１(a)〜(d)に示すように、前記ハウジング１に構成する機構内装部３であって、その前端に開口する挿入孔３ａ、その一側部に配されたターミナル取付部３ｂ、他側部に配されたレバー取付部３ｃ及びバネ端取付部３ｄを備えた機構内装部３と、該ターミナル取付部３ｂに取り付けるターミナル４と、該レバー取付部３ｃに取り付けるレバー部材５と、該バネ端取付部３ｄに一端を取り付け、他端を該レバー部材５の後記摘み部５ｄの裏面に取り付けて、その間に介在させるコイルバネ６とを基本的構成要素として構成するものである。
【００４３】
前記機構内装部３は、前記したように、ハウジング１の板状のベース部２の前面に立ち上げた構成要素であり、図１(a)〜(d)及び図２(a)〜(d)に示すように、この実施例では概ね二段階に先細りとなる８角筒形に構成したものである。前記のように、その先端に挿入孔３ａの入口を開口し、該挿入孔３ａの空間は前記ベース部２側に向かって延長し、該ベース部２の裏面側に開口させたものである。
【００４４】
該挿入孔３ａの空間の一側部、この実施例では、前記ベース部２の辺から遠い方の側部に前記ターミナル取付部３ｂを構成する。このターミナル取付部３ｂは、該挿入孔３ａの該当側部に位置するターミナル４の取付空間３ｂ１とその両側に位置する係止スリット３ｂ２、３ｂ２とで構成する。該係止スリット３ｂ２、３ｂ２は、前記ターミナル４の後記取付肩部４ａ、４ａを挿入係止する溝である。
【００４５】
更に該挿入孔３ａの空間の他側部、即ち、前記ターミナル取付部３ｂと該挿入孔３ａを挟んで反対側の側部に、前記レバー取付部３ｃを構成する。該レバー取付部３ｃは、前記レバー部材５の起伏空間３ｃ１と、該レバー部材５の後記回動軸５ａを回動自在に支持する軸受溝３ｃ２、３ｃ２とで構成する。なお該起伏空間３ｃ１は該挿入孔３ａの側部で外部に開いた状態に構成する。また該軸受溝３ｃ２、３ｃ２は、前記挿入孔３の奥部側に若干入り込んだ位置に配置する。
【００４６】
また前記機構内装部３には、前記レバー取付部３ｃの更に外部側に前記バネ端取付部３ｄを構成する。このバネ端取付部３ｄは、図１(d)及び図２(a)、(d)に示すように、前記コイルバネ６の端部が外装状態で結合し得る短軸状に構成する。
【００４７】
前記ターミナル４は、前記ハウジング１上のいずれの部位の機構内装部３に配するものであっても、取付肩部４ａ、４ａを構成した基部４ｂ及び突出接片部４ｃは同様の構成であるが、その端子部４ｄ(１４ｄ)は、四個の機構内装部３の各々毎にその接続先との関係から構成を異なるものとせざるを得ない。
【００４８】
まず共通部分から説明する。図５(a)〜(d)及び図６(a)〜(d)に示すように、該ターミナル４は、導電性金属の帯状部材を折曲加工して構成する。前記基部４ｂの一方の延長部分をコ字形に折曲して前記突出接片部４ｃを構成し、更に該突出接片部４ｃからの延長部分の先端を該突出接片部４ｃと同じ方向に直角に折曲して当接係合部４ｅに構成する。前記基部４ｂの両側部は三角形の抜け止めを突出させた前記取付肩部４ａ、４ａに構成する。また該基部４ｂの他方への延長部分は、その端部で前記突出接片部４ｃと同一方向に直角に折曲し、その側部から前記端子部４ｄ（１４ｄ）を延長する。この端子部４ｄ、１４ｄは、前記のように、その接続先との関係で相互にその長さ及び形状が異なっているが、それだけの意味であり、本質的な差はない。端子部の構成は、前記のように、四個の機構内装部３毎に異なるが、以上のように、本質的な差はないので、二種のみを示している。
【００４９】
前記突出接片部４ｃには、図５(b)、(d)及び図６(b)、(d)に示すように、前記基部４ｂとの境界部分の中央部を四辺形に切り欠き、該基部４ｂ側を向いたエッジ４ｆを形成しておくものとする。
【００５０】
前記レバー部材５は、図３(a)〜(d)及び図４に示すように、二本の棒状レバー片５ｂ、５ｂ、上端でそれらを繋ぐ天板部５ｃ及び該天板部５ｃから背後側に延設させた摘み部５ｄで構成したレバー本体と、前記天板部５ｃから該摘み部５ｄと反対側に突出させた押圧突部５ｅと、該二本の棒状レバー片５ｂ、５ｂの他の部位に上記押圧突部５ｅと同一方向を向けて突出させた押圧突部５ｆと、前記天板部５ｃに開口した前記バナナプラグ進入用のプラグ貫通口５ｇと、該二本の棒状レバー片５ｂ、５ｂの背後側途中に構成した抑え部５ｈと、両棒状レバー片５ｂ、５ｂの下端両側に突出させた前記回動軸５ａと、前記摘み部５ｄの裏面に突設したバネ端取付部５ｉとで構成する。
【００５１】
前記天板部５ｃから突設する押圧突部５ｅは、図１(d)及び図８(a)〜(c)に示すように、前記ターミナル４の突出接片部４ｃに対向する部位の手前側(直上)に向けて突出するように位置決めする。また前記二本の棒状レバー片５ｂ、５ｂの他の部位に配した押圧突部５ｆは、同図に示すように、該二本の棒状レバー片５ｂ、５ｂ間に橋掛けしつつ前記ターミナル４の突出接片部４ｃに対向する部位の奥側(直下)に向けて突出するように位置決めする。
【００５２】
前記抑え部５ｈは、図８(a)に示すように、前記天板部５ｃに開口したプラグ貫通口５ｇを通じて進入したバナナプラグＰを前記突出接片部４ｃに圧接させるべく、進入方向の中間付近に、該二本の棒状レバー片５ｂ、５ｂ間に掛け渡しつつ配するものとする。また該抑え部５ｈの内面は、該バナナプラグＰの対応する部位の外径に近似する内径の部分円弧状凹面に構成する。前記突出接片部４ｃの奥側(直下)に対応させて構成した押圧突部５ｆの内側面も同様に該バナナプラグＰの対応する部位の外径に近似する内径の部分円弧状凹面に構成しておくものとする。
【００５３】
前記回動軸５ａは、図３(a)〜(d)及び図４に示すように、前記両棒状レバー片５ｂ、５ｂの下端側方に突出させた短軸状に構成する。また前記摘み部５ｄの裏面に突設したバネ端取付部５ｉも、図３(a)〜(d)に示すように、前記コイルバネ６の端部が外装状態で結合し得る短軸状に構成する。
【００５４】
前記コイルバネ６は、前記レバー部材５を前記ターミナル４側に起立回動させるべく付勢する部材であり、圧縮バネ形のそれである。
【００５５】
まず前記レバー部材５を、図１(d)及び図８(a)〜(c)に示すように、ハウジング１の各機構内装部３の側部に配したレバー取付部３ｃに取り付ける。該レバー部材５はハウジング１の裏面側の開口部から装入して取り付ける。摘み部５ｄ側を先頭として装入し、これが前記挿入孔３ａの側部に開く起伏空間３ｃ１側に配置状態となるまで進入させる。該摘み部５ｄが該起伏空間３ｃ１の最外部の、該挿入孔３ａの入口に隣接する位置に至ると、前記二本の棒状レバー片５ｂ、５ｂの下端両側に突出させた回動軸５ａが、それぞれ前記挿入孔３ａの最奥部に構成した軸受溝３ｃ２、３ｃ２に進入してこれに回動自在に支持された状態となる。レバー部材５の取り付けはこれで完了である。
【００５６】
この後、同図に示すように、前記コイルバネ６を、その一端を前記摘み部５ｄの裏面に突設したバネ端取付部５ｉに取り付け、他端を前記レバー取付部３ｃの更に外部側に配してある前記バネ端取付部３ｄに取り付ける。
【００５７】
前記ターミナル４は、同図に示すように、各機構内装部３のターミナル取付部３ｂに取り付ける。長い端子部１４ｄを持ったターミナル１４は、図１(a)中で示すと、上方の機構内装部３の一方のターミナル取付部３ｂに取り付け、短い端子部４ｄを持ったターミナル４は下方の機構内装部３の一方のターミナル取付部３ｄに取り付ける。
【００５８】
ターミナル４は、ハウジング１の背後側の開口部から各機構内装部３の挿入孔３ａの側部に構成したターミナル取付部３ｂに装入して取り付ける。このときターミナル４は、当接係合部４ｅを先頭としてその取付空間３ｂ１内に装入し、同時に基部４ｂの両側の取付肩部４ａ、４ａを前記係止スリット３ｂ２、３ｂ２に挿入する。進入可能なだけ該係止スリット３ｂ２、３ｂ２に該取付肩部４ａ、４ａを進入させると、前記当接係合部４ｅの外面が、同図に示すように、該挿入孔３ａの入口に近接する取付空間３ｂ１の内壁面に当接する状態になる。こうしてターミナル４は該係止スリット３ｂ２、３ｂ２に固定され、同時に、端子部４ｄ(１４ｄ)もこの時点でハウジング１の裏面側で所定の部位に取り付けられた状態となる。
【００５９】
この実施例のプッシュターミナルは、以上のように構成したものであり、それ故、従来のそれと同様に、リード線Ｌの接続が可能であり、加えてバナナプラグＰの接続も可能となったものである。
【００６０】
リード線Ｌを接続する場合は、従来のプッシュターミナルと同様に、レバー部材５をその摘み部５ｄを操作して背後側に倒した上で、該リード線Ｌを該挿入孔３ａに所要の深さまで挿入し、その後、該レバー部材５の摘み部５ｄに加えていた背後側に倒す力を除去すれば良い。これによって該レバー部材５はコイルバネ６の作用により起立状態に復帰し、該リード線Ｌは、図８(b)、(c)に示すように、レバー部材５の二つの押圧突部５ｅ、５ｆとターミナル４の突出接片部４ｃとで挟持された状態となり、これらに機械的・電気的に確実に接続されることになる。
【００６１】
このとき、前記のように、ターミナル４の突出接片部４ｃには、その奥側(下部側)と基部４ｂとの境界部を切り欠いてエッジ４ｆを構成してあるため、同図に示すように、該リード線Ｌのこれに当接する部位が該エッジ４ｆに係止してその機械的接続がより確実なものとなる。それ故、大径のリード線Ｌに対する保持力も高くなる。
【００６２】
バナナプラグＰを接続する場合は、特別のレバー操作等をせずに、図７(a)〜(c)に示すように、該バナナプラグＰを単に挿入孔３ａに挿入するのみで良い。
【００６３】
前記レバー部材５は、図１(a)〜(d)、図７(a)〜(c)及び図８(a)、(b)に示すように、通常、前記コイルバネ６の作用で起立状態になっており、前記のように、バナナプラグＰを挿入孔３ａの入口から挿入すると、図８(a)に示すように、該バナナプラグＰは該挿入孔３ａの内部でレバー本体の天板部５ｃに開口したプラグ貫通口５ｇを貫通することにより所要深さまで進入することができる。
【００６４】
このとき、同図に示すように、該バナナプラグＰは、その側部の一部が前記ターミナル４の突出接片部４ｃと接触し、他方、その反対側の側部がレバー本体の二本の棒状レバー片５ｂ、５ｂに構成した抑え部５ｈで抑えられ、該突出接片部４ｃとの上記接触が強く確実なものになる。これによって該バナナプラグＰとターミナル４との電気的・機械的な接続を確保することができる。
【００６５】
また、前記のように、この実施例では、ターミナル４を剛体金属で構成したため、以上のようなリード線Ｌ又はバナナプラグＰのいずれとの接続の場合でも、使用による劣化変形の虞が殆どなく、長期間にわたって良好な性能を維持することができる。
【００６６】
以上のように、この実施例のプッシュターミナルによれば、リード線ＬとバナナプラグＰの双方との接続が可能であり、しかも後者の接続は、単に挿入するだけでできる極めて簡単なものである。更にこの実施例はプッシュターミナル形式であるため、ネジターミナルのような高価な部品を使用せず、かつターミナル材としてバネ材を必要としないため、安価に製造できるものでもある。
【図面の簡単な説明】
【００６７】
【図１】(a)は実施例のプッシュターミナルの正面図、(b)は右側面図、(c)は底面図、(d)は(a)のＡ−Ａ線断面図。
【図２】(a)は実施例のハウジングの正面図、(b)は右側面図、(c)は底面図、(d)は(a)のＢ−Ｂ線断面図。
【図３】(a)は実施例のレバー部材の左側面図、(b)は正面図、(c)は底面図、(d)は(b)のＣ−Ｃ線断面図。
【図４】実施例のレバー部材の斜視図。
【図５】(a)は実施例の一方のターミナルの左側面図、(b)は正面図、(c)は底面図、(d)は(b)のＤ−Ｄ線拡大断面図。
【図６】(a)は実施例の他方のターミナルの左側面図、(b)は正面図、(c)は底面図、(d)は(b)のＥ−Ｅ線拡大断面図。
【図７】(a)は実施例のプッシュターミナルの右手前の挿入孔にバナナプラグを挿入した状態を示す右側面図、(b)は底面図、(c)は斜視図。
【図８】(a)は実施例のプッシュターミナルの右手前の挿入孔にバナナプラグを挿入した状態の縦断面図、(b)は実施例のプッシュターミナルの右奥側の挿入孔にリード線を挿入した状態の縦断面図、(c)は(b)の部分拡大図。
【符号の説明】
【００６８】
１    ハウジング
２    ベース部
３    機構内装部
３ａ  挿入孔
３ｂ  ターミナル取付部
３ｂ１  取付空間
３ｂ２  係止スリット
３ｃ  レバー取付部
３ｃ１  起伏空間
３ｃ２  軸受溝
３ｄ  バネ端取付部
４、１４  ターミナル
４ａ  取付肩部
４ｂ  基部
４ｃ  突出接片部
４ｄ、１４ｄ  端子部
４ｅ  当接係合部
４ｆ  エッジ
５    レバー部材
５ａ  回動軸
５ｂ  棒状レバー片
５ｃ  天板部
５ｄ  摘み部
５ｅ  直上の押圧突部
５ｆ  直下の押圧突部
５ｇ  プラグ貫通口
５ｈ  抑え部
５ｉ  バネ端取付部
６    コイルバネ
Ｌ    リード線
Ｐ    バナナプラグ
【図１】
2006351490.tif 000003
【図２】
2006351490.tif 000004
【図３】
2006351490.tif 000005
【図４】
2006351490.tif 000006
【図５】
2006351490.tif 000007
【図６】
2006351490.tif 000008
【図７】
2006351490.tif 000009
【図８】
2006351490.tif 000010